(57)【要約】【課題】部品点数が少なく、組立作業が容易で、カム部材が外れにくく、確実なカム係合を可能にしたイジェクト機構を有するカードコネクタを提供する。【解決手段】カードコネクタのイジェクト機構は、フレーム２０に対して移動可能に設けられ、回動アームに係合するプッシュバー５０と、フレーム２０及びプッシュバー５０に形成されたカム構成部７０と、フレーム２０に対して移動可能に設けられたイジェクトボタン９０に回動自在に軸支され、カム構成部７０とカム係合するプッシュプレート６０と、プッシュプレート６０をイジェクトボタン９０の押圧方向と逆方向に付勢する弾性部材８０とを有する。【選択図】図２
2011023280.tif 000002
【特許請求の範囲】
【請求項１】
コンタクトを保持するハウジングと、該ハウジングに取り付けられ、カードを挿抜可能に案内するフレームと、前記ハウジングに回動可能に配置され、回動により前記カードを抜出方向に排出する回動アームと、前記フレームの側方に設けられ、前記カードの排出時に前記回動アームを回動させるイジェクト機構とを具備し、
該イジェクト機構は、前記フレームに対して移動可能に設けられ、前記回動アームに係合するプッシュバーと、
前記フレーム及びプッシュバーに形成されたカム構成部と、
前記フレームに対して移動可能に設けられた操作部に回動自在に軸支され、前記カム構成部とカム係合するプッシュプレートと、
前記プッシュプレートを前記操作部の押圧方向と逆方向に付勢する弾性部材とを有することを特徴とするカードコネクタ。
【請求項２】
前記カム構成部は、前記フレームに形成された第１カム部と、
前記カードが前記フレーム内に収容されることにより前記プッシュバーが初期位置に位置された初期状態で、前記操作部が押圧方向に押圧されることによって、前記プッシュプレートの先端に形成された第１当接部に当接する被当接部と、
移動限界位置まで移動された前記プッシュバーが前記回動アームを回動させた状態で、前記弾性部材の弾性力によって前記プッシュプレートに設けられた第２カム部に係合して前記プッシュプレートを一方の向きに回動させて、前記プッシュプレートに設けられた第３カム部を第１カム部に係合させる第１カム面と、
前記カードが前記フレーム内に収容されることにより前記回動アームを介して前記プッシュバーを前記移動限界位置から前記初期位置に移動させた状態で、前記操作部が前記押圧方向に押圧されることにより、前記プッシュプレートを他方の向きに回動させて第３カム部と第１カム部との係合を解除する第２カム面と、
前記被当接部と一体に形成され、前記弾性部材の弾性力によって前記プッシュプレートを、第１カム面に第２カム部が係止された前記初期位置に移動させる第３カム面とを有することを特徴とする請求項１に記載のカードコネクタ。
【請求項３】
前記フレーム、前記プッシュバー、及び前記プッシュプレートが金属板から形成されることを特徴とする請求項１又は２に記載のカードコネクタ。
【発明の詳細な説明】
【技術分野】
【０００１】
本発明は、イジェクト機構を有するカードコネクタに関する。
【背景技術】
【０００２】
従来、メモリカード等のカードをコネクタ内に挿抜するカードコネクタとして、いわゆるポップ−プッシュ作用を可能にしたイジェクト機構を有するカードコネクタが開発されている。このカードコネクタは、カードをコネクタ内に挿入しているとき及びカードをコネクタ内に挿入していないときには、操作部が突出せず、コネクタ内に挿入しているカードを排出するときのみ操作部を突出させる機構を採用している。
【０００３】
この種のイジェクト機構を有するカードコネクタとして、例えば、図１０及び図１１に示すものが知られている（特許文献１参照）。
このカードコネクタ１０１は、カードＣを挿抜可能に案内するフレーム１１０と、フレーム１１０の側方に設けられたイジェクト機構１２０と、挿入されたカードＣを排出するイジェクトレバー１３０とを備えている。イジェクトレバー１３０は、イジェクト機構１２０のプッシュロッドからの押圧力を受けて回動し、挿入されたカードＣを排出する。
【０００４】
ここで、プッシュロッドは、操作者からの押圧力を受ける第１ロッド１２１と、この押圧力をイジェクトレバー１３０に伝達する第２ロッド１２２とを有している。第２ロッド１２２と対向する第１ロッド１２１の先端には、ガイド板１４０に形成されたガイド溝１４１に係合するカム部材１５０が設けられる。また、カードＣの排出時に第１ロッド１２１と第２ロッド１２２とがカム部材１５０を介して連係するようになっている。
【０００５】
このように、カードコネクタ１０１は、カードＣの排出のためのイジェクトレバー１３０を駆動するプッシュロッドを第１ロッド１２１と第２ロッド１２２とで構成している。また、カードコネクタ１０１は、カム部材１５０を介して両ロッド１２１，１２２を作動せしめることとし、カム部材１５０が係合するガイド溝１４１を有するガイド板１４０を板状に形成している。従って、カードコネクタ１０１の幅寸法を小さくでき、カードコネクタ１０１の全体を小型化できる。
【先行技術文献】
【特許文献】
【０００６】
【特許文献１】特開２００２−３２４６２３号公報
【特許文献２】特開２００５−１１５７４号公報
【発明の概要】
【発明が解決しようとする課題】
【０００７】
しかしながら、図１０及び図１１に示したカードコネクタ１０１にあっては、以下の問題点があった。
即ち、カム部材１５０をカードコネクタ１０１へ組み付ける組立作業が容易ではない。具体的には、カム部材１５０のフック部１５１にばね部材１５３を引っ掛け、カム部材１５０の係合部１５２をガイド板１４０の内側からガイド溝１４１に係合させる必要があるため、部品点数が多く組立作業が容易ではない。さらに、カム部材１５０が揺動するために、カム部材１５０が第１ロッド１２１から外れやすく、確実なカム係合がされないことがあった。
【０００８】
このようなカム部材を要しないイジェクト機構を備えたカードコネクタとして、特許文献２に開示されたものがある（図１２参照）。このカードコネクタでは、一端に操作部を他端に係合アームを有する第１バーのロック時において、第１バーの係合アーム２５３がストッパ２２９のテーパ面２２９ａによってフレーム２２０の側壁部２２２に対して外側に撓んでいる。即ち、このカードコネクタでは、イジェクト機構が、係合アーム２５３自体の弾性力で係合アーム２５３を幅方向に動かす機構を採用している。従って、特許文献２に開示されたカードコネクタにおいては、必要な荷重を得るために係合アーム２５３を高精度で作製する必要があった。また、カバー部材（図示せず）が必要であり、部品点数が多い。
【０００９】
従って、本発明は上述の問題点に鑑みてなされたものであり、その目的は、部品点数が少なく、組立作業が容易で、カム部材が外れにくく、確実なカム係合を可能にしたイジェクト機構を有するカードコネクタを提供することにある。
【課題を解決するための手段】
【００１０】
上記問題を解決するため、本発明のうち請求項１に係るカードコネクタは、コンタクトを保持するハウジングと、該ハウジングに取り付けられ、カードを挿抜可能に案内するフレームと、前記ハウジングに回動可能に配置され、回動により前記カードを抜出方向に排出する回動アームと、前記フレームの側方に設けられ、前記カードの排出時に前記回動アームを回動させるイジェクト機構とを具備し、
該イジェクト機構は、前記フレームに対して移動可能に設けられ、前記回動アームに係合するプッシュバーと、
前記フレーム及びプッシュバーに形成されたカム構成部と、
前記フレームに対して移動可能に設けられた操作部に回動自在に軸支され、前記カム構成部とカム係合するプッシュプレートと、
前記プッシュプレートを前記操作部の押圧方向と逆方向に付勢する弾性部材とを有することを特徴としている。
【００１１】
このカードコネクタによれば、カム構成部と、該カム構成部にカム係合するプッシュプレートと、弾性部材とからイジェクト機構が構成されているので、部品点数が少なく、組立作業が容易である。また、プッシュバー及びプッシュプレートがフレームに対して移動可能とされた構成とされているため、カム構成部に係合するカム部材が外れにくく、カム係合を確実にすることができる。
【００１２】
また、本発明のうち請求項２に係るカードコネクタは、請求項１に係るカードコネクタにおいて、前記カム構成部は、前記フレームに形成された第１カム部と、
前記カードが前記フレーム内に収容されることにより前記プッシュバーが初期位置に位置された初期状態で、前記操作部が押圧方向に押圧されることによって、前記プッシュプレートの先端に形成された第１当接部に当接する被当接部と、
移動限界位置まで移動された前記プッシュバーが前記回動アームを回動させた状態で、前記弾性部材の弾性力によって前記プッシュプレートに設けられた第２カム部に係合して前記プッシュプレートを一方の向きに回動させて、前記プッシュプレートに設けられた第３カム部を第１カム部に係合させる第１カム面と、
前記カードが前記フレーム内に収容されることにより前記回動アームを介して前記プッシュバーを前記移動限界位置から前記初期位置に移動させた状態で、前記操作部が前記押圧方向に押圧されることにより、前記プッシュプレートを他方の向きに回動させて第３カム部と第１カム部との係合を解除する第２カム面と、
前記被当接部と一体に形成され、前記弾性部材の弾性力によって前記プッシュプレートを、第１カム面に第２カム部が係止された前記初期位置に移動させる第３カム面とを有することを特徴としている。
【００１３】
また、本発明のうち請求項３に係るカードコネクタは、請求項１又は２に係るカードコネクタにおいて、前記フレーム、前記プッシュバー、及び前記プッシュプレートが金属板から形成されることを特徴としている。
【発明の効果】
【００１４】
本発明に係るカードコネクタによれば、部品点数が少なく、組立作業が容易で、カム部材が外れにくく、確実なカム係合を可能にしたイジェクト機構を有するカードコネクタを提供することができる。
【図面の簡単な説明】
【００１５】
【図１】本発明に係るカードコネクタを示し、（Ａ）は背面図、（Ｂ）は平面図、（Ｃ）は正面図である。
【図２】フレームとイジェクト機構との組立状態を示し、（Ａ）は平面図、（Ｂ）は正面図、（Ｃ）は左側面図である。
【図３】フレームを示し、（Ａ）は平面図、（Ｂ）は正面図、（Ｃ）は左側面図である。
【図４】イジェクトボタンを示し、（Ａ）は左側面図、（Ｂ）は平面図である。
【図５】プッシュバーを示し、（Ａ）は平面図、（Ｂ）は左側面図である。
【図６】プッシュプレートを示し、（Ａ）は平面図、（Ｂ）は左側面図である。
【図７】イジェクト機構の動作を示し、（Ａ）はカード挿入後の初期状態、（Ｂ）はカードが排出されている状態、（Ｃ）はカードが排出された状態、（Ｄ）〜（Ｆ）はプッシュプレートのロック状態を示している。
【図８】イジェクト機構の動作を示し、（Ａ）及び（Ｂ）はカード挿入後の状態、（Ｃ）〜（Ｅ)はプッシュプレートのロック解除時の状態、（Ｆ）はプッシュプレートのロックを解除して初期位置に向かう状態を示している。
【図９】イジェクト機構の動作を示し、（Ａ）〜（Ｅ）はプッシュプレートのロックを解除して初期位置に向かう状態、（Ｆ）はプッシュプレートが初期位置に戻り、イジェクトボタンが突出した状態を示している。
【図１０】イジェクト機構を有する従来のカードコネクタの斜視図である。
【図１１】図１０に示したカードコネクタのイジェクト機構の主要部を示し、（Ａ）は平面図、（Ｂ）は側面図である。
【図１２】従来のカードコネクタのイジェクト機構の主要部を示し、（Ａ）は平面図、（Ｂ）は左側面図である。
【発明を実施するための形態】
【００１６】
次に、本発明の実施形態について図面を参照して説明する。
図１に示すように、カードコネクタ１は、ハウジング１０と、フレーム２０と、回動アーム３０と、イジェクト機構４０とを具備している。
【００１７】
ハウジング１０は、長手方向（図１（Ｂ）における左右方向）に延びる略直方体形状体で構成され、絶縁性の樹脂を成形することによって形成される。ハウジング１０の長手方向両端には、回路基板（図示せず）上に実装するための基板実装部１１が設けられる。各基板実装部１１には、取付ねじ用貫通孔１２が形成されている。そして、ハウジング１０には、複数のコンタクト１３が長手方向に沿って保持されている。各コンタクト１３は、金属板を打抜き及び曲げ加工することによって形成される。また、各コンタクト１３は、回路基板に半田接続されるとともに、カードコネクタ１に挿入されたメモリカード等のカードＣ内のコンタクト（図示せず）に嵌合接触するようになっている。
【００１８】
フレーム２０は、矩形状の平板部２１と、平板部２１の幅方向両端（図１（Ｂ）における左右方向両端）から下方に折り曲げられた１対の側壁部２２とを具備し、金属板を打抜き及び曲げ加工することによって形成される。フレーム２０が金属板からなることにより、強度を保ったまま、カードコネクタ１の幅方向の寸法を小さくできる。平板部２１の幅方向両端の前方部（図１（Ｂ）における上方部）には、ハウジング１０の長手方向両端部に圧入固定される固定部２３が下方に折り曲げ形成されている。また、各側壁部２２の後方部には、回路基板上への実装部２４（図２（Ｂ）参照）が内側へ折り曲げ形成されている。そして、平板部２１の幅方向両端であって側壁部２２の内側には、平板部２１から下方に突出する複数のガイド突部２５が形成されている。各ガイド突部２５は、連結片２８により側壁部２２の上端に連結されている。また、各側壁部２２の下端からは複数の折り曲げ部２６が折り曲げ形成されている。カードＣの挿抜時において、ガイド突部２５及び折り曲げ部２６によってカードＣの上下方向の移動が規制される。さらに、１対の側壁部２２によりカードＣの左右方向（ハウジング１０の長手方向）の移動を規制し、カードＣの挿抜可能に案内するようになっている。また、各側壁部２２の後方部には、挿入されたカードＣの側部に接触する接地片（図示せず）が内側に向けて折り曲げ形成されている。側壁部２２の中央部分には、プッシュプレート６０の動きを規制する第１カム部２２ｂ及び第４カム部２２ｃを有する窓部２２ａが打ち抜かれて形成されている。第１カム部２２ｂは、窓部２２ａの上面に設けられ、下方に突出し、前方に向いた鉤形状をなしている。第４カム部２２ｃは、窓部２２ａの上方から後方へ斜めに形成される。また、側壁部２２の後方側上端には、引張ばね（弾性部材）８０の一方のフック部が掛かり止めされる掛止部２２ｄが外側に向けて折り曲げ形成されている。また、側壁部２２の前方側上下端及び中央部分上下端には、プッシュバー５０に設けられた溝部５８（図５参照）に係合する爪部２２ｅが複数設けられる。
【００１９】
回動アーム３０は、ハウジング１０内に回動可能に配置される。回動アーム３０は、ハウジング１０内部の一端に、挿入されたカードＣに係合するカード係合部（図示せず）を備え、ハウジング１０外部の他端に、後述するプッシュバー５０の前端部５１ａに係合するバー係合部３１を備えている。回動アーム３０は、その回動により、挿入されたカードＣを抜出方向（図１（Ｂ）における下方向）に排出する。
【００２０】
イジェクト機構４０は、プッシュバー５０と、フレーム２０及びプッシュバー５０に形成されたカム構成部７０と、カム構成部７０とカム係合するプッシュプレート６０と、弾性部材８０とを有する。イジェクト機構４０は、フレーム２０の一方の側壁部２２（例えば左側、図２参照）に設けられる。弾性部材８０は、プッシュプレート６０を操作部９０の押圧方向と逆方向に付勢する。イジェクト機構４０は、フレーム２０の一方の側壁部２２の内側に、プッシュプレート６０及びプッシュバー５０がこの順で重畳するように配設されている。具体的には、フレーム２０の一方の側壁部２２の内側に、フレーム２０に対して前後方向に移動可能に係合するプッシュバー５０が重畳するように配設されている。そして、フレーム２０の側壁２２とプッシュバー５０との間に、プッシュプレート６０が挟まれるようにして設けられる。プッシュプレート６０は、フレーム２０に対して前後方向に移動可能に設けられたイジェクトボタン（操作部）９０に回動自在に軸支されるので、フレーム２０とプッシュバー５０との間で前後方向に移動可能となる。
【００２１】
ここで、イジェクトボタン９０は、図４に示すように、直方体形状の本体部９１と、該本体部９１の前端部に開口した溝部９２とを有する。該溝部９２は、その上下方向の寸法よりも小さく開口された矩形状の凹部９３に連通する。側壁部２２の上端面及び下端面は、溝部９２に移動可能に係合される。フレーム２０に対するイジェクトボタン９０の移動範囲の一方は、側壁部２２の後端部に折り曲げられて形成された係止部２９が凹部９３の後端面で係止されることによって制限される。凹部９３の前方には、プッシュプレート６０を軸支するための軸部９４が設けられている。
【００２２】
プッシュバー５０は、図５に示すように、側壁部２２に沿って前後方向に延びる本体部５１を有し、金属板を打抜き及び曲げ加工することによって形成される。プッシュバー５０が金属板からなることにより、強度を保ったまま、カム構成部の幅方向の寸法を小さくでき、カードコネクタ１の幅寸法も小さくできる。前端部５１ａは、回動アーム３０の係合部３１に係合する。また、本体部５１には、側壁部２２に設けられ、内側に折り曲げられた複数の爪部２２ｅ（図３（Ｃ）参照）に係合する溝部５８が、各爪部２２ｅの位置及び個数に合わせて、例えば、本体部５１の前端側及び後端側に上下１対ずつ形成されている。各爪部２２ｅを各溝部５８の拡大部５８ａから各溝部５８に挿入し、プッシュバー５０を前方へ相対移動させることによって、フレーム２０（側壁部２２）に対して脱落させることなくプッシュバー５０を前後方向に移動させることができる。本体部５１の後端には、本体部５１を打ち抜いた窓部５２が形成されている。窓部５２には、下面において上方に突出した被当接部５３、下面と後面とを斜面で連結した第１カム面５４、上面と前面とを斜面で連結した第２カム面５５、及び被当接部５３の前方の斜面部分である第３カム面５６が形成される。
【００２３】
プッシュプレート６０は、図６に示すように、フレーム２０の側壁部２２（図２（Ｃ）参照）に沿って前後方向に延びる本体部６１を有し、金属板を打抜き及び曲げ加工することによって形成される。プッシュプレート６０が金属板からなることにより、強度を保ったまま、カム構成部７０の幅方向の寸法を小さくでき、カードコネクタ１の幅寸法も小さくできる。本体部６１の後端には、イジェクトボタン９０に形成された軸部９４に軸支される軸穴６６が形成されている。また、本体部６１の前端には、フレーム２０の窓部２２ａ及びプッシュバー５０の窓部５２によって移動方向が規制される当接部６２、第２カム部６３、及び第３カム部６４がそれぞれ内側に向けて折り曲げ形成されている。当接部６２は、前方に突出した突出片を図６（Ａ）に示されるように内側に向けて折り曲げ形成されている。第２カム部６３は、後ろ斜め下方に突出した突出片を外側に向けて折り曲げ形成されている。第３カム部６４は、上方に突出した突出片を内側に向けて折り曲げ形成されている。このように、カードコネクタ１では、折り曲げ形成された当接部６２、第２カム部６３、及び第３カム部６４をカム構成部７０にカム係合させるので、多少の摩耗があっても動作不良に至らない。さらに、本体部６１の前方側下端には、プッシュプレート６０を後方に付勢する引張ばね（弾性部材）８０（図２（Ｃ）参照）の他方のフック部が掛かり止めされる掛止部６５が外側に向けて折り曲げ形成されている。即ち、引張ばね８０は、その両フック部がフレーム２０の掛止部２２ｄとプッシュプレート６０の掛止部６５とにそれぞれ取り付けられて、側壁部２２に対してイジェクトボタン９０を介して移動するプッシュプレート６０を後方に付勢する。また、掛止部２２ｄは側壁部２２の後方側のほぼ中央に設けられ、掛止部６５はプッシュプレート６０の前方側に設けられているため、前記付勢力はプッシュプレート６０がその姿勢に応じて一方の向きに回動するように付与される。
【００２４】
このように、カム構成部７０を構成する第１カム部２２ｂ、被当接部５３、第１カム面５４、第２カム面５５、及び第３カム面５６は、フレーム２０及びフレーム２０に対して移動可能とされたプッシュバー５０に設けられる。従って、イジェクト機構４０の動作においてカム構成部７０の幅方向の動作がなく、カム構成部７０に係合するカム部材が外れにくく、カム係合を確実にすることができる。
【００２５】
このイジェクト機構４０を構成する各部材を、図２に示すようにフレーム２０に組み付けた後に、この組立体をハウジング１０に取り付けることにより、カードコネクタ１は完成する。
【００２６】
次に、本発明の作用を図７〜図９を参照して説明する。なお、以下の説明では、フレーム２０の窓部２２ａ、プッシュバー５０の窓部６２、及びプッシュプレート６０、並びにこれらに設けられたカム構成部７０の動きについて説明する。また、図７〜図９において、点Ｚは、掛止部２２ｄの位置であり、線分ｄは、弾性部材８０の付勢力の方向又は弾性部材８０の軸線を示す。
【００２７】
図７（Ａ）に示すように、まず、カードＣがフレーム２０内に収容された状態（以下、初期状態と呼ぶ。）では、プッシュバー５０の前端部５１ａが初期位置Ｘに位置している。このとき、プッシュプレート６０は、第２カム部６３が第１カム面５４に係止される。なお、イジェクトボタン９０は、フレーム２０の後端部から突出している。
【００２８】
その後、図７（Ｂ）に示すように、イジェクトボタン９０が押圧方向（前方）に押圧されることによって、プッシュプレート６０の当接部６２がプッシュバー５０の被当接部５３に当接し、プッシュバー５０を前方へ移動させる。図７（Ｃ）に示すように、当接部６２によって前端部５１ａが移動限界位置Ｙまで移動されたプッシュバー５０は、回動アーム３０を回動させるので、カードＣの排出が行われる。この排出状態では、プッシュプレート６０に弾性部材８０の付勢力が軸孔６６の回りを反時計回りの向きに働いている。というのは、図７（Ａ）及び（Ｂ）において、弾性部材８０の軸線ｄは、プッシュプレート６０の軸孔６６の中心よりも下側に位置するので、弾性部材８０の付勢力により、プッシュプレート６０が反時計回りに回転するからである。
【００２９】
その後、イジェクトボタン９０を押しきった状態から手を離す（付勢力を解除する）と、図７（Ｄ）に示すように、プッシュプレート６０は弾性部材８０の付勢力により後方に移動する。このとき、第１カム面５４に第２カム部６３が係合することにより、第２カム部６３が上方へ移動するので、プッシュプレート６０の回転方向にかかる力は反時計回りの向きから時計回りの向きに変わる。そして、第１カム面５４によって案内されたプッシュプレート６０の第３カム部６４が側壁部２２の第１カム部２２ｂに係合する。図７（Ｅ）に示すように、弾性部材８０によって後方へ付勢されたプッシュプレート６０は、第１カム部２２ｂ及び第１カム面５４によって係止される。このときのプッシュプレート６０の状態をロック状態と呼ぶ。
【００３０】
図７（Ｆ）に示すように、ロック状態では、弾性部材８０の軸線ｄは、プッシュプレート６０の軸孔６６の中心よりも上側に位置するので、弾性部材８０の付勢力によりプッシュプレート６０には時計回りの向きに回動する力がかかっている。このため、イジェクトボタン９０及びプッシュプレート６０は、ので、イジェクトボタン９０を押しても窓部２２ａに沿って往復運動をするだけである。
【００３１】
カードが排出されたロック状態で、その後、カードをフレーム２０に挿入すると、回動アーム３０の回動によって、図８（Ａ）及び（Ｂ）に示すように、プッシュバー５０が後方に移動する。このとき、後方に移動するプッシュバー５０の被当接部５３は、第３カム部６４が第１カム部２２ｂに係合しているプッシュプレート６０の第２カム部６３に移動を妨げられないように高さが予め設定されている。また、プッシュバー５０が後方に移動することにより、窓部２２ａに第２カム面５５が重畳することになる。
【００３２】
この状態でイジェクトボタン９０が前方に押されると、図８（Ｃ）及び（Ｄ）に示すように、当接部６２が第２カム面５５に係合し、プッシュプレート６０は前方に押されながら反時計回りの向きに回動する。
その後、イジェクトボタン９０が前方に押され続けることにより、図８（Ｅ）に示すように、回動方向の力が時計回りの向きから反時計回りの向きへと変化し、第２カム部６３が窓部５２に当接する。
【００３３】
その後、イジェクトボタン９０に対する前方への付勢力を解除すると、図８（Ｆ）に示すように、弾性部材８０の付勢力により、第２カム部６３が窓部５２に沿ってプッシュプレート６０が後方に移動する。
そして、図９（Ａ）に示すように、第２カム部６３が第３カム面５６と係合し、プッシュプレート６０は時計回りの向きに回動しながら後方に移動する。
【００３４】
この後、弾性部材８０の付勢力により、プッシュプレート６０がさらに後方に移動する際、図９（Ｂ）に示すように、プッシュプレート６０の回動方向の力は反時計回りの向きから時計回りの向きに変化する。プッシュプレート６０の回動方向が変化すると、図９（Ｃ）に示すように、窓部２２ａの上面に第３カム部６４が当接する。
【００３５】
次に、第３カム部６４は、窓部２２ａの上面に係合した後、第４カム部２２ｃに係合しながらプッシュプレート６０は排出位置に戻されることになる。この係合の際、プッシュプレート６０の回動方向の力は、時計回りの向きから反時計回りの向きへ変化する。このようにして、第２カム部６３が第１カム面５４に係合することによってプッシュプレート６０は排出位置に保持されてポップ−プッシュ動作が完結する。
【００３６】
以上説明したように、カードコネクタ１は、カム構成部７０と、該カム構成部７０にカム係合するプッシュプレート６０と、弾性部材８０とからイジェクト機構４０が構成されているので、部品点数が少なく、組立作業が容易である。また、カードＣを排出するときには、プッシュバー５０を前方へ移動させることで、第１カム面５４及び第１カム部２２ｂに係合させてプッシュプレート６０をロック状態にする。また、カードＣが挿入されたときには、プッシュバー５０が後方へ移動することにより、第２カム面５５に係合させてプッシュプレート６０を第１カム部２２ｂからロック解除する。即ち、プッシュバー５０及びプッシュプレート６０がフレーム２０に対して移動可能とされた構成とされているため、カム構成部７０に係合するカム部材が外れにくく、カム係合を確実にすることができる。
【００３７】
そして、このイジェクト機構４０は、従来の図１０に示したような揺動するカム部材を必要としないので、製造が容易であると共に、その組立作業も容易なものとすることができる。
また、イジェクト機構４０にいわゆるハートカム構造を採用していないので、イジェクト機構４０の幅方向の動きがなくなり、イジェクト機構４０の幅寸法を小さくできる。
【００３８】
以上、本発明の実施形態について説明してきたが、本発明はこれに限定されずに種々の変更、改良を行うことができる。例えば、フレーム２０、プッシュプレート６０、及びプッシュバー５０は、金属製でなく、樹脂製であってもよい。
【符号の説明】
【００３９】
１  カードコネクタ
１０  ハウジング
１３  コンタクト
２０  フレーム
２２ａ  窓部
２２ｂ  第１カム部
３０  回動アーム
４０  イジェクト機構
５０  プッシュバー
５１  本体部
５２  窓部
５３  被当接部
５４  第１カム面
５５  第２カム面
５６  第３カム面
６０  プッシュプレート
６１  本体部
６２  当接部
６３  第２カム部
６４  第３カム部
７０  カム構成部
８０  引張ばね（弾性部材）
９０  イジェクトボタン（操作部）
Ｃ  カード
【図１】
2011023280.tif 000003
【図２】
2011023280.tif 000004
【図３】
2011023280.tif 000005
【図４】
2011023280.tif 000006
【図５】
2011023280.tif 000007
【図６】
2011023280.tif 000008
【図７】
2011023280.tif 000009
【図８】
2011023280.tif 000010
【図９】
2011023280.tif 000011
【図１０】
2011023280.tif 000012
【図１１】
2011023280.tif 000013
【図１２】
2011023280.tif 000014